【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
店舗に設けられている機器の動作を制御する店舗制御装置と、前記店舗に設けられている機器の動作を管理する管理サーバからなる店舗管理システムにおいて、
前記店舗制御装置は、
前記店舗の環境情報を取得する環境情報取得手段と、
前記店舗の環境情報を前記管理サーバに送信する第１の送信手段と、
前記管理サーバにより予測される所定の時間だけ先の時刻における環境情報に基づいた、前記店舗に設けられている機器の第１の機器制御情報、および、現在時刻における前記店舗の環境情報に基づいた、前記店舗に設けられている機器の第２の機器制御情報を受信する第１の受信手段と、
前記第１の機器制御情報および前記第２の機器制御情報に基づいて、前記機器の動作を制御する動作制御手段と
を備え、
前記管理サーバは、
前記店舗より送信されてくる前記店舗の環境情報を受信する第２の受信手段と、
前記店舗の環境情報を蓄積する蓄積手段と、
前記蓄積手段に蓄積されている前記店舗の環境情報に基づいて、所定の時間だけ先の時刻における前記店舗の環境情報を予測する予測手段と、
前記予測手段により予測された、前記所定の時間だけ先の時刻における前記店舗の環境情報に基づいて、前記店舗に設けられた機器を制御するための前記第１の機器制御情報、および、現在時刻における前記店舗の環境情報に基づいて、前記店舗に設けられた機器を制御するための前記第２の機器制御情報を生成する機器制御情報生成手段と、
前記機器制御情報生成手段により生成された前記第１の機器制御情報および前記第２の機器制御情報を前記店舗に送信する第２の送信手段と
を備える
ことを特徴とする店舗管理システム。
【請求項２】
店舗に設けられている機器の動作を制御する店舗制御装置において、
店舗の環境情報を取得する環境情報取得手段と、
前記店舗の環境情報を管理サーバに送信する送信手段と、
前記管理サーバにより予測される所定の時間だけ先の時刻における環境情報に基づいた、前記店舗に設けられている機器の第１の機器制御情報、および、現在時刻における環境情報に基づいた、前記店舗に設けられている機器の第２の機器制御情報を受信する受信手段と、
前記第１の機器制御情報および第２の機器制御情報に基づいて、前記機器の動作を制御する動作制御手段と
を備えることを特徴とする店舗制御装置。
【請求項３】
前記店舗の環境情報は、店内照度、店外照度、冷蔵庫温度、冷蔵庫開閉回数、入客数、店内温度、店外温度、店内湿度、店外湿度、並びに照明、冷蔵庫、および前記店舗に設けられている機器の消費電力を含む
ことを特徴とする請求項２に記載の店舗制御装置。
【請求項４】
前記店舗に設けられている機器は、照明、冷蔵庫、またはエアコンディショナを含む
ことを特徴とする請求項２に記載の店舗制御装置。
【請求項５】
店舗に設けられている機器の動作を制御する店舗制御方法において、
店舗の環境情報を取得する環境情報取得ステップと、
前記店舗の環境情報を管理サーバに送信する送信ステップと、
前記管理サーバにより予測される所定の時間だけ先の時刻における環境情報に基づいた、前記店舗に設けられている機器の第１の機器制御情報、および、現在時刻における前記店舗の環境情報に基づいた、前記店舗に設けられている機器の第２の機器制御情報を受信する受信ステップと、
前記第１の機器制御情報および前記第２の機器制御情報に基づいて、前記機器の動作を制御する動作制御ステップと
を含むことを特徴とする店舗制御方法。
【請求項６】
店舗に設けられている機器の動作を制御する店舗制御装置を制御するプログラムにおいて、
店舗の環境情報を取得する環境情報取得ステップと、
前記店舗の環境情報を管理サーバに送信する送信ステップと、
前記管理サーバにより予測される所定の時間だけ先の時刻における環境情報に基づいた、前記店舗に設けられている機器の第１の機器制御情報、および、現在時刻における前記店舗の環境情報に基づいた、前記店舗に設けられている機器の第２の機器制御情報を受信する受信ステップと、
前記第１の機器制御情報および前記第２の機器制御情報に基づいて、前記機器の動作を制御する動作制御ステップと
を含む処理をコンピュータに実行させることを特徴とするプログラム。
【請求項７】
店舗に設けられている機器の動作を管理する管理サーバにおいて、
店舗より送信されてくる前記店舗の環境情報を受信する受信手段と、
前記店舗の環境情報を蓄積する蓄積手段と、
前記蓄積手段に蓄積されている前記店舗の環境情報に基づいて、所定の時間だけ先の時刻における前記店舗の環境情報を予測する予測手段と、
前記予測手段により予測された、前記所定の時間だけ先の時刻における前記店舗の環境情報に基づいて、前記店舗に設けられた機器を制御するための第１の機器制御情報、および、現在時刻における前記店舗の環境情報に基づいて、前記店舗に設けられた機器を制御するための第２の機器制御情報を生成する機器制御情報生成手段と、
前記機器制御情報生成手段により生成された前記第１の機器制御情報および前記第２の機器制御情報を前記店舗に送信する送信手段と
を備えることを特徴とする管理サーバ。
【請求項８】
前記店舗の環境情報は、店内照度、店外照度、冷蔵庫温度、冷蔵庫開閉回数、入客数、店内温度、店外温度、店内湿度、店外湿度、並びに前記店舗に設けられた機器の消費電力を含む
ことを特徴とする請求項７に記載の管理サーバ。
【請求項９】
前記店舗に設けられている機器は、照明、冷蔵庫、またはエアコンディショナを含む
ことを特徴とする請求項７に記載の管理サーバ。
【請求項１０】
前記予測手段は、前記蓄積手段に蓄積されている前記店舗の環境情報のうち、前記店外照度に基づいて、所定の時間だけ先の時刻における前記店舗の環境情報のうち、前記店外照度を予測し、
前記機器制御情報生成手段は、前記予測手段により予測された前記店外照度に基づいて、前記照明の動作を制御するための機器制御情報を生成する
ことを特徴とする請求項８および９に記載の管理サーバ。
【請求項１１】
前記予測手段は、前記蓄積手段に蓄積されている前記店舗の環境情報のうち、前記冷蔵庫温度、前記入客数、および前記冷蔵庫開閉回数に基づいて、所定の時間だけ先の時刻における前記店舗の環境情報のうち、前記冷蔵庫温度を予測し、
前記機器制御情報生成手段は、前記予測手段により予測された前記冷蔵庫温度に基づいて、前記冷蔵庫の動作を制御するための機器制御情報を生成する
ことを特徴とする請求項８および９に記載の管理サーバ。
【請求項１２】
前記予測手段は、前記蓄積手段に蓄積されている前記店舗の環境情報のうち、前記店外温度に基づいて、所定の時間だけ先の時刻における前記店舗の環境情報のうち、前記店外温度を予測し、
前記機器制御情報生成手段は、前記予測手段により予測された前記店外温度に基づいて、前記エアコンディショナの動作を制御するための機器制御情報を生成する
ことを特徴とする請求項８および９に記載の管理サーバ。
【請求項１３】
前記予測手段は、前記蓄積手段に蓄積されている前記店舗の環境情報のうち、前記店外温度、店内気温、店外湿度、および店内湿度に基づいて、所定の時間だけ先の時刻における前記店舗の環境情報のうち、前記店外不快指数および店内不快指数を予測し、
前記機器制御情報生成手段は、前記予測手段により予測された前記店外不快指数および前記店内不快指数の差分絶対値と所定の閾値との比較結果に基づいて、前記エアコンディショナの動作を制御するための機器制御情報を生成する
ことを特徴とする請求項８および９に記載の管理サーバ。
【請求項１４】
店舗に設けられている機器の動作を管理する管理サーバの管理方法において、
店舗より送信されてくる前記店舗の環境情報を受信する受信ステップと、
前記店舗の環境情報を蓄積する蓄積ステップと、
前記蓄積ステップの処理により蓄積されている前記店舗の環境情報に基づいて、所定の時間だけ先の時刻における前記店舗の環境情報を予測する予測ステップと、
前記予測ステップの処理で予測された、前記所定の時間だけ先の時刻における前記店舗の環境情報に基づいて、前記店舗に設けられた機器を制御するための第１の機器制御情報、および、現在時刻における前記店舗の環境情報に基づいて、前記店舗に設けられた機器を制御するための第２の機器制御情報を生成する機器制御情報生成ステップと、
前記機器制御情報生成ステップの処理で生成された前記第１の機器制御情報および前記第２の機器制御情報を前記店舗に送信する送信ステップと
を含むことを特徴とする管理サーバによる店舗の管理方法。
【請求項１５】
店舗に設けられている機器の動作を管理する管理サーバを制御するプログラムにおいて、
店舗より送信されてくる前記店舗の環境情報を受信する受信ステップと、
前記店舗の環境情報を蓄積する蓄積ステップと、
前記蓄積ステップの処理により蓄積されている前記店舗の環境情報に基づいて、所定の時間だけ先の時刻における前記店舗の環境情報を予測する予測ステップと、
前記予測ステップの処理で予測された、前記所定の時間だけ先の時刻における前記店舗の環境情報に基づいて、前記店舗に設けられた機器を制御するための第１の機器制御情報、および、現在時刻における前記店舗の環境情報に基づいて、前記店舗に設けられた機器を制御するための第２の機器制御情報を生成する機器制御情報生成ステップと、
前記機器制御情報生成ステップの処理で生成された前記第１の機器制御情報および前記第２の機器制御情報を前記店舗に送信する送信ステップと
を含む処理をコンピュータに実行させることを特徴とするプログラム。
【手続補正２】
【補正対象書類名】明細書
【補正対象項目名】０００９
【補正方法】変更
【補正の内容】
【０００９】
本発明の店舗管理システムは、店舗制御装置が、店舗の環境情報を取得する環境情報取得手段と、店舗の環境情報を管理サーバに送信する第１の送信手段と、管理サーバにより予測される所定の時間だけ先の時刻における環境情報に基づいた、店舗に設けられている機器の第１の機器制御情報、および、現在時刻における店舗の環境情報に基づいた、店舗に設けられている機器の第２の機器制御情報を受信する第１の受信手段と、第１の機器制御情報および前記第２の機器制御情報に基づいて、機器の動作を制御する動作制御手段とを備え、管理サーバは、店舗より送信されてくる店舗の環境情報を受信する第２の受信手段と、店舗の環境情報を蓄積する蓄積手段と、蓄積手段に蓄積されている店舗の環境情報に基づいて、所定の時間だけ先の時刻における店舗の環境情報を予測する予測手段と、予測手段により予測された、所定の時間だけ先の時刻における店舗の環境情報に基づいて、店舗に設けられた機器を制御するための第１の機器制御情報、および、現在時刻における店舗の環境情報に基づいて、店舗に設けられた機器を制御するための第２の機器制御情報を生成する機器制御情報生成手段と、機器制御情報生成手段により生成された第１の機器制御情報および第２の機器制御情報を店舗に送信する第２の送信手段とを備えることを特徴とする。
【手続補正３】
【補正対象書類名】明細書
【補正対象項目名】００１０
【補正方法】変更
【補正の内容】
【００１０】
本発明の店舗制御装置は、店舗の環境情報を取得する環境情報取得手段と、店舗の環境情報を管理サーバに送信する送信手段と、管理サーバにより予測される所定の時間だけ先の時刻における環境情報に基づいた、店舗に設けられている機器の第１の機器制御情報、および、現在時刻における環境情報に基づいた、店舗に設けられている機器の第２の機器制御情報を受信する受信手段と、第１の機器制御情報および第２の機器制御情報に基づいて、機器の動作を制御する動作制御手段とを備えることを特徴とする。
【手続補正４】
【補正対象書類名】明細書
【補正対象項目名】００１３
【補正方法】変更
【補正の内容】
【００１３】
本発明の店舗制御方法は、店舗の環境情報を取得する環境情報取得ステップと、店舗の環境情報を管理サーバに送信する送信ステップと、管理サーバにより予測される所定の時間だけ先の時刻における環境情報に基づいた、店舗に設けられている機器の第１の機器制御情報、および、現在時刻における店舗の環境情報に基づいた、店舗に設けられている機器の第２の機器制御情報を受信する受信ステップと、第１の機器制御情報および前記第２の機器制御情報に基づいて、機器の動作を制御する動作制御ステップとを含むことを特徴とする。
【手続補正５】
【補正対象書類名】明細書
【補正対象項目名】００１４
【補正方法】変更
【補正の内容】
【００１４】
本発明の店舗制御装置を制御するコンピュータに実行させるプログラムは、店舗の環境情報を取得する環境情報取得ステップと、店舗の環境情報を管理サーバに送信する送信ステップと、管理サーバにより予測される所定の時間だけ先の時刻における環境情報に基づいた、店舗に設けられている機器の第１の機器制御情報、および、現在時刻における店舗の環境情報に基づいた、店舗に設けられている機器の第２の機器制御情報を受信する受信ステップと、第１の機器制御情報および第２の機器制御情報に基づいて、機器の動作を制御する動作制御ステップとを含む処理を実行させることを特徴とする。
【手続補正６】
【補正対象書類名】明細書
【補正対象項目名】００１５
【補正方法】変更
【補正の内容】
【００１５】
本発明の管理サーバは、店舗より送信されてくる店舗の環境情報を受信する受信手段と、店舗の環境情報を蓄積する蓄積手段と、蓄積手段に蓄積されている店舗の環境情報に基づいて、所定の時間だけ先の時刻における店舗の環境情報を予測する予測手段と、予測手段により予測された、所定の時間だけ先の時刻における店舗の環境情報に基づいて、店舗に設けられた機器を制御するための第１の機器制御情報、および、現在時刻における店舗の環境情報に基づいて、店舗に設けられた機器を制御するための第２の機器制御情報を生成する機器制御情報生成手段と、機器制御情報生成手段により生成された第１の機器制御情報および前記第２の機器制御情報を店舗に送信する送信手段とを備えることを特徴とする。
【手続補正７】
【補正対象書類名】明細書
【補正対象項目名】００２２
【補正方法】変更
【補正の内容】
【００２２】
本発明の管理サーバによる店舗の管理方法は、店舗より送信されてくる店舗の環境情報を受信する受信ステップと、店舗の環境情報を蓄積する蓄積ステップと、蓄積ステップの処理により蓄積されている店舗の環境情報に基づいて、所定の時間だけ先の時刻における店舗の環境情報を予測する予測ステップと、予測ステップの処理で予測された、所定の時間だけ先の時刻における店舗の環境情報に基づいて、店舗に設けられた機器を制御するための第１の機器制御情報、および、現在時刻における店舗の環境情報に基づいて、店舗に設けられた機器を制御するための第２の機器制御情報を生成する機器制御情報生成ステップと、機器制御情報生成ステップの処理で生成された第１の機器制御情報および第２の機器制御情報を店舗に送信する送信ステップとを含むことを特徴とする。
【手続補正８】
【補正対象書類名】明細書
【補正対象項目名】００２３
【補正方法】変更
【補正の内容】
【００２３】
本発明の管理サーバを制御するコンピュータに実行させるプログラムは、店舗より送信されてくる店舗の環境情報を受信する受信ステップと、店舗の環境情報を蓄積する蓄積ステップと、蓄積ステップの処理により蓄積されている店舗の環境情報に基づいて、所定の時間だけ先の時刻における店舗の環境情報を予測する予測ステップと、予測ステップの処理で予測された、所定の時間だけ先の時刻における店舗の環境情報に基づいて、店舗に設けられた機器を制御するための第１の機器制御情報、および、現在時刻における店舗の環境情報に基づいて、店舗に設けられた機器を制御するための第２の機器制御情報を生成する機器制御情報生成ステップと、機器制御情報生成ステップの処理で生成された第１の機器制御情報および前記第２の機器制御情報を店舗に送信する送信ステップとを含む処理を実行させることを特徴とする。
【手続補正９】
【補正対象書類名】明細書
【補正対象項目名】００２４
【補正方法】変更
【補正の内容】
【００２４】
本発明の店舗管理システムにおいては、店舗制御装置により、店舗の環境情報が取得され、店舗の環境情報が管理サーバに送信され、管理サーバにより予測される所定の時間だけ先の時刻における環境情報に基づいた、店舗に設けられている機器の第１の機器制御情報、および、現在時刻における店舗の環境情報に基づいた、店舗に設けられている機器の第２の機器制御情報が受信され、機器制御情報に基づいて、機器の動作が制御され、管理サーバにより、店舗より送信されてくる店舗の環境情報が受信され、店舗の環境情報が蓄積され、蓄積されている店舗の環境情報に基づいて、所定の時間だけ先の時刻における店舗の環境情報が予測され、予測された、所定の時間だけ先の時刻における店舗の環境情報に基づいて、店舗に設けられた機器が制御されるための第１の機器制御情報、および、現在時刻における店舗の環境情報に基づいて、店舗に設けられた機器を制御するための第２の機器制御情報が生成され、生成された第１の機器制御情報および第２の機器制御情報が店舗に送信される。
【手続補正１０】
【補正対象書類名】明細書
【補正対象項目名】００２５
【補正方法】変更
【補正の内容】
【００２５】
本発明の店舗制御装置および方法、並びにプログラムにおいては、店舗の環境情報が取得され、店舗の環境情報が管理サーバに送信され、管理サーバにより予測される所定の時間だけ先の時刻における環境情報に基づいた、店舗に設けられている機器の第１の機器制御情報、および、現在時刻における環境情報に基づいた、店舗に設けられている機器の第２の機器制御情報が受信され、第１の機器制御情報および第２の機器制御情報に基づいて、機器の動作が制御される。
【手続補正１１】
【補正対象書類名】明細書
【補正対象項目名】００２６
【補正方法】変更
【補正の内容】
【００２６】
本発明の管理サーバおよび方法、並びにプログラムにおいては、店舗より送信されてくる店舗の環境情報が受信され、店舗の環境情報が蓄積され、蓄積されている店舗の環境情報に基づいて、所定の時間だけ先の時刻における店舗の環境情報が予測され、予測された、所定の時間だけ先の時刻における店舗の環境情報に基づいて、店舗に設けられた機器を制御するための第１の機器制御情報、および、現在時刻における店舗の環境情報に基づいた、店舗に設けられている機器の第２の機器制御情報が生成され、生成された第１の機器制御情報および前記第２の機器制御情報が店舗に送信される。